(57)【要約】【課題】停止後の処理と通信充填に係る処理とを適切な態様で行うこと。【解決手段】燃料電池車両の制御方法は、イグニッションスイッチがＯＦＦにされた後に、主止弁を開き、スタックへ水素を供給し、スタックによる発電及びディスチャージを継続する停止時充電処理及びＥＧＲ停止処理（ｔ１０〜ｔ１５）と、水素タンクへの水素の充填開始要求が生じたことに応じて（ｔ１１）、水素タンクの状態を示すデータ信号を外部の水素ステーションに送信しながら、この水素ステーションから供給された水素を水素タンクに充填する通信充填（ｔ１５〜ｔ１６）と、停止時充電処理又はＥＧＲ停止処理を行っている間に充填開始要求が生じた場合には、実行中の停止時充電処理及びＥＧＲ停止処理が終了するまで通信充填の開始を待機する待機工程（ｔ１１〜ｔ１５）と、を含む。【選択図】図９
2014192047.tif 000002
【特許請求の範囲】
【請求項１】
燃料ガス及び酸化剤が供給されると発電する燃料電池と、
燃料ガスを貯蔵する貯蔵容器と、
前記貯蔵容器と前記燃料電池とを接続する燃料ガス供給路と、
前記燃料ガス供給路に設けられた開閉弁と、
前記貯蔵容器の状態を示すデータ信号を外部へ送信する送信手段と、を備えた燃料電池車両の制御方法であって、
前記燃料電池車両への停止指令後に、前記開閉弁を開き、前記燃料電池へ燃料ガスを供給し、前記燃料電池による発電及びディスチャージを継続する停止処理工程と、
前記貯蔵容器への燃料ガスの充填開始要求が生じたことに応じて、前記貯蔵容器の状態を示すデータ信号を外部の燃料供給源に送信しながら、当該外部の燃料供給源から供給された燃料ガスを前記貯蔵容器に充填する通信充填工程と、
前記停止処理工程を行っている間に前記充填開始要求が生じた場合には、実行中の停止後ディスチャージ工程が終了するまで前記通信充填工程の開始を待機する待機工程と、を含むことを特徴とする燃料電池車両の制御方法。
【請求項２】
前記燃料電池車両は、蓄電装置をさらに備え、
前記停止処理工程は、前記燃料電池車両の停止指令後に、前記蓄電装置の残容量が所定の目標量になるまで、前記燃料電池によって発電した電力を当該蓄電装置に充電する停止時充電工程を含み、
前記停止時充電工程を開始する前又は前記停止時充電工程を行っている間に前記充填開始要求が生じた場合には、前記目標量は、前記充填開始要求が生じなかった場合よりも少なく設定されることを特徴とする請求項１に記載の燃料電池車両の制御方法。
【発明の詳細な説明】
【技術分野】
【０００１】
本発明は、燃料電池車両の制御方法に関する。より詳しくは、燃料電池車両への停止指令後に、燃料電池による発電及びディスチャージを継続する燃料電池車両の制御方法に関する。
【背景技術】
【０００２】
燃料電池車両は、その電源システムとして燃料電池システムを備える。燃料電池は、燃料ガスである水素ガスと酸化剤ガスである空気とが供給されると発電する。燃料電池に水素ガスを供給するため、燃料電池のアノード流路には水素ガス供給管を介して水素タンクが接続されている。また、燃料電池に空気を供給するため、燃料電池のカソード流路には空気供給管を介してコンプレッサが接続されている。燃料電池システムは、起動されると水素ガス及び空気の供給を開始し、燃料電池による発電を開始する。
【０００３】
システムの停止中に、カソード流路内に酸素が残ったままであると、次回のシステム起動時にアノード系に水素を供給したときに燃料電池のカソード側が高電位状態になってしまい、燃料電池の固体高分子電解質膜が劣化するおそれがある。このため、燃料電池システムでは、システムの停止時にカソード流路内に残留する酸素を用いて燃料電池による発電及びディスチャージを継続し、燃料電池を不活性状態にした上でシステムを完全に停止させている（特許文献１参照）。また、このディスチャージ処理では、カソード側からアノード側への酸素透過をさらに抑制するため、カソード側では残留酸素を消費させ、アノード側には水素タンクから余分に水素ガスを供給し、アノード流路内の圧力を高くしておく方が好ましいことも知られている。
【０００４】
一方、近年では水素タンク内に水素ガスを充填するための技術についても盛んに研究が進められている。例えば特許文献２の技術では、水素ステーションの水素充填装置と燃料電池車両とを接続し、その水素タンク内に水素ガスを充填する際、車両側からはタンクの温度や圧力等に関するデータ信号をステーション側に送信し、ステーション側では受信したデータ信号に基づいて最適な態様で水素ガスを充填する。このように車両側とステーション側とで通信を行いながら水素ガスを充填する技術を、以下では通信充填という。
【先行技術文献】
【特許文献】
【０００５】
【特許文献１】特開２００３−１１５３１７号公報
【特許文献２】特開２０１１−３３０６８号公報
【発明の概要】
【発明が解決しようとする課題】
【０００６】
上記ディスチャージ処理は、利用者によるシステム停止操作を契機として、システム停止操作後も継続して行われる処理である。そして水素ガスの充填は、システム停止操作後に、利用者の意思に基づいて行われる処理である。したがって、システム停止操作後にディスチャージ処理を行っている間に、水素ガスを充填する操作が行われることがあり得るが、このような場合にどちらの処理を優先して行うか、又はどのような態様で両方の処理を並行して行うか等については十分に検討されていない。例えば、通信充填と並行してディスチャージ処理を行うとなると、水素タンクの状態が変動してしまい、車両側からは正確な水素タンクの状態に関するデータを送信できず、充填に時間がかかったり満充填できなくなったりするおそれがある。
【０００７】
本発明は、停止指令後に燃料電池による発電及びディスチャージを継続して行う燃料電池車両の制御方法であって、停止後の処理と通信充填に係る処理とを適切な態様で行うことを目的とする。
【課題を解決するための手段】
【０００８】
（１）燃料電池車両（例えば、後述の燃料電池車両Ｖ）は、燃料ガス及び酸化剤が供給されると発電する燃料電池（例えば、後述のスタック２）と、燃料ガスを貯蔵する貯蔵容器（例えば、後述の水素タンク３１のタンク本体３１１）と、前記貯蔵容器と前記燃料電池とを接続する燃料ガス供給路（例えば、後述の水素供給管３２）と、前記燃料ガス供給路に設けられた開閉弁（例えば、後述の主止弁３１２）と、前記貯蔵容器の状態を示すデータ信号を外部へ送信する送信手段（例えば、後述の赤外線送信器６６）と、を備える。この燃料電池車両の制御方法は、前記燃料電池車両への停止指令後に、前記開閉弁を開き、前記燃料電池へ燃料ガスを供給し、前記燃料電池による発電及びディスチャージを継続する停止処理工程（例えば、後述の図５のＳ１〜Ｓ６）と、前記貯蔵容器への燃料ガスの充填開始要求が生じたことに応じて、前記貯蔵容器の状態を示すデータ信号を外部の燃料供給源に送信しながら、当該外部の燃料供給源から供給された燃料ガスを前記貯蔵容器に充填する通信充填工程（例えば、後述の図７のＳ１１〜Ｓ１３）と、前記停止処理工程を行っている間に前記充填開始要求が生じた場合には、実行中の停止後ディスチャージ工程が終了するまで前記通信充填工程の開始を待機する待機工程（例えば、後述の図８の時刻ｔ３〜ｔ５、図９の時刻ｔ１１〜ｔ１５）と、を含む。
【０００９】
（２）この場合、前記燃料電池車両は、蓄電装置（例えば、後述のバッテリＢ）をさらに備え、前記停止処理工程は、前記燃料電池車両の停止指令後に、前記蓄電装置の残容量が所定の目標量（例えば、後述の停止時目標ＳＯＣ）になるまで、前記燃料電池によって発電した電力を当該蓄電装置に充電する停止時充電工程を含み、前記停止時充電工程を開始する前又は前記停止時充電工程を行っている間に前記充填開始要求が生じた場合には、前記目標量は、前記充填開始要求が生じなかった場合よりも少なく設定されることが好ましい。
【発明の効果】
【００１０】
（１）停止処理工程を行っている間は、開閉弁が開かれているため、貯蔵容器内の燃料ガスが燃料電池へ向けて流出し、貯蔵容器内の状態が変動する。本発明では、このような停止処理工程を行っている間に充填開始要求が生じた場合には、実行中の停止処理工程が終了するまで通信充填工程の開始を待機する。これにより、停止指令後であっても停止処理工程が終了するまで通信充填を開始できなくなってしまうものの、燃料電池車両側からは貯蔵容器内の状態を正確に反映したデータ信号を外部充填装置へ送信できる。したがって、正確でないデータ信号を送信した場合と比較すれば、充填にかかる時間を短くでき、かつより確実に満充填にすることができる。また、満充填にすることにより、燃料電池車両の航続距離を延ばすことができる。
【００１１】
（２）本発明では、燃料電池車両の停止指令後に停止時充電工程を行うことにより、蓄電装置の残容量を所定の必要残容量まで充電し、次回の燃料電池車両の起動の際に必要となる電力を蓄電装置に確保しておくことができる。また本発明では、このような停止時充電工程を開始する前又は停止時充電工程を行っている間に充填開始要求が生じた場合には、充填開始要求が生じなかった場合よりも残容量の目標量を少なくすることにより、停止時充電工程にかかる時間を短くする。したがって、停止処理工程にかかる時間も短くできるため、その分だけ通信充填の開始を早めることができるので、利用者の利便性を向上できる。
【図面の簡単な説明】
【００１２】
【図１】本発明の一実施形態に係る燃料電池車両及び水素ステーションとの構成を示す図である。
【図２】燃料電池システムの構成を示す図である。
【図３】ＦＣＶ−ＥＣＵ及び通信充填ＥＣＵの構成を示す図である。
【図４】システム停止処理における各装置の制御手順を示すタイムチャートである。
【図５】ＦＣＶ−ＥＣＵにおいて実行されるシステム停止処理のうち、停止時充電処理とＥＧＲ停止処理とを実行する手順を示すフローチャートである。
【図６】停止時目標ＳＯＣの大きさを模式的に示す図である。
【図７】通信充填ＥＣＵにおいて実行される通信充填の具体的な手順を示すフローチャートである。
【図８】システムの停止指令後に行われるシステム停止処理及び通信充填の第１の例を示すタイムチャートである。
【図９】システムの停止指令後に行われるシステム停止処理及び通信充填の第２の例を示すタイムチャートである。
【発明を実施するための形態】
【００１３】
以下、本発明の一実施形態について、図面を参照しながら説明する。
図１は、水素充填システムＳの構成を示す図である。水素充填システムＳは、水素を燃料ガスとして走行する燃料電池車両Ｖと、この車両Ｖの水素タンク３１に水素を供給する水素ステーション９と、を組み合わせて構成される。
【００１４】
＜水素ステーション９の構成＞
水素ステーション９は、水素貯蔵タンク９１とディスペンサ９２とを備える。水素貯蔵タンク９１には、車両Ｖに供給するための水素が高圧で貯蔵されている。この水素貯蔵タンク９１内の水素は、液体水素を気化したもの、改質装置により原料を改質することで製造されたもの、或いは電解装置によって製造されたものなどを圧縮機で圧縮したものが用いられる。
【００１５】
ディスペンサ９２は、その水素充填ノズル９３が車両Ｖに設けられた水素導入口８２に差し込まれると、水素貯蔵タンク９１から供給された水素を減圧し、水素充填ノズル９３から水素を供給する。水素充填ノズル９３から供給された水素は、車両Ｖの水素タンク３１に充填される。また、この水素充填ノズル９３には、赤外線通信器９４が設けられている。赤外線通信器９４は、水素充填ノズル９３を車両Ｖの水素導入口８２に差し込むことにより、車両Ｖに搭載された後述の通信充填システム６との間で赤外線を介したデータ信号の送受信が可能となっている。ディスペンサ９２では、車両Ｖへの水素の充填にあたって、通信充填と呼称される充填方法と、非通信充填と呼称される充填方法との２つの充填方法を選択的に実行できる。
【００１６】
通信充填とは、車両Ｖ及びステーション９間で通信を行いながら、車両Ｖに水素を充填する充填方法である。より具体的には、通信充填では、ディスペンサ９２は、通信充填システム６から、水素タンク３１の状態を示すデータ信号を赤外線通信器９４によって受信し、このデータ信号に基づいて定められた充填態様（例えば、充填流量）で水素タンク３１に水素を充填する。
【００１７】
非通信充填とは、車両Ｖ及びステーション９間で通信を行うことなく車両Ｖに水素を充填する充填方法である。より具体的には、非通信充填では、ディスペンサ９２は、予め定められた規定の充填態様（例えば、充填流量）で水素タンク３１に水素を充填する。非通信充填時のディスペンサ９２は、現在の水素タンク３１の温度はその時の平均的な温度よりも高温であると想定し、したがって充填流量は比較的小さな値に設定される。ただし非通信充填では、ディスペンサ９２は水素タンク３１の現在の状態を把握できないため、充填中にタンク内の温度が上昇しても、これに応じて充填流量を低減したりすることはできず、一定の流量で充填し続ける。このため、非通信充填では、充填中に水素タンク３１内の温度が規定の上限温度に近づいてしまい、実際の満充填に達する前に充填が中断される場合がある。したがって、充填中に水素タンク３１内の温度が規定の上限温度を超えないことを条件とすれば、通信充填と非通信充填とを比較すると通信充填の方が充填流量を適切に制御できるため、速やかに満充填又はその付近まで充填できる。
【００１８】
＜燃料電池車両Ｖの構成＞
燃料電池車両Ｖは、水素タンク３１に貯蔵された水素によって発電し、発電した電力を利用して走行する燃料電池システム１と、この燃料電池システム１の制御を担う電子制御ユニット（以下、「ＦＣＶ−ＥＣＵ」という）１１と、水素タンク３１へ水素を充填する際に水素ステーション９との通信を担う通信充填システム６と、この通信充填システム６の制御を担う電子制御ユニット（以下、「通信充填ＥＣＵ」という）６１と、を備える。なお、図１には、燃料電池システム１全体の構成のうち、水素タンク３１へ水素を供給するために必要な装置の構成を主に示す。
【００１９】
ＦＣＶ−ＥＣＵ１１と通信充填ＥＣＵ６１とは、通信線Ｌで接続されており、相互通信可能となっている。これにより、２つのＥＣＵ１１，６１のうち何れか一方で生成した信号を他方に送信したり、２つのＥＣＵ１１，６１における判断を同期したりできる。以下では、このようなＦＣＶ−ＥＣＵ１１と通信充填ＥＣＵ６１との間の通信線Ｌを介した相互通信を、「ＦＣ−ＩＲ間通信」という。
【００２０】
＜燃料電池システム１の構成＞
図２は、燃料電池システム１の構成を示す図である。
燃料電池システム１は、燃料電池スタック２と、燃料電池スタック２に水素を供給するアノード系３と、燃料電池スタック２に酸化剤ガスとしての空気を供給するカソード系４と、燃料電池スタック２から排出されたガスの後処理を行う希釈器３７と、燃料電池スタック２を冷却する冷却装置５と、燃料電池スタック２で発電した電力を蓄えるバッテリＢと、燃料電池スタック２及びバッテリＢからの電力の供給によって駆動する走行モータＭと、ＦＣＶ−ＥＣＵ１１と、を備える。なお、図２には、燃料電池システム１全体の構成のうち、燃料電池スタック２により発電させるために必要な装置の構成を主に示す。
【００２１】
燃料電池スタック（以下、単に「スタック」という）２は、例えば、数十個から数百個のセルが積層されたスタック構造である。各燃料電池セルは、膜電極構造体（ＭＥＡ）を一対のセパレータで挟持して構成される。膜電極構造体は、アノード電極（陰極）及びカソード電極（陽極）の２つの電極と、これら電極に挟持された固体高分子電解質膜とで構成される。通常、両電極は、固体高分子電解質膜に接して酸化・還元反応を行う触媒層と、この触媒層に接するガス拡散層とから形成される。このスタック２は、アノード電極側に形成されたアノード流路２１に水素が供給され、カソード電極側に形成されたカソード流路２２に酸素を含んだ空気が供給されると、これらの電気化学反応により発電する。
【００２２】
発電中のスタック２から取り出される出力電流は、電流制御器２９を介してバッテリＢや負荷（走行モータＭ及びエアコンプレッサ４１等）に入力される。電流制御器２９は、図示しないＤＣ−ＤＣコンバータを備えており、そのチョッピング動作によって発電中のスタック２の出力電流を制御する。特に後述の停止時充電処理やＥＧＲディスチャージ処理では、電流制御器２９は、スタック２の出力電流をバッテリＢの充電電流とし、これを所定の電流指令値に制御しながらバッテリＢに充電する。
【００２３】
バッテリＢは、スタック２で発電した電力や、走行モータＭによって回生制動力として回収した電気エネルギーを蓄える。また、例えば燃料電池システム１の起動時や車両の高負荷運転時には、バッテリＢに蓄えられた電力はスタック２の出力を補うようにして負荷に供給される。
【００２４】
アノード系３は、水素タンク３１と、水素タンク３１からスタック２のアノード流路２１の導入部に至る水素供給管３２と、アノード流路２１の排出部から希釈器３７に至る水素排出管３３と、水素排出管３３から分岐し水素供給管３２に至る水素還流管３４と、を含んで構成される。水素を含んだガスの水素循環流路は、水素供給管３２、アノード流路２１、水素排出管３３及び水素還流管３４によって構成される。
【００２５】
図１に戻って、水素タンク３１は、水素ガスを高圧で貯蔵するタンク本体３１１と、タンク本体３１１から延びる水素供給管３２に設けられた開閉弁としての主止弁３１２と、タンク本体３１１から延びる水素導入管３１３と、を備える。この水素導入管３１３は、一端側がタンク本体３１１に接続され、他端側が後述のリッドボックス８１内に設けられた水素導入口８２に接続されている。
【００２６】
水素導入管３１３には、２つの逆止弁３１４，３１５と、充填遮断弁３１６とが設けられている。充填遮断弁３１６は、タンク本体３１１へのガスの流入及びタンク本体３１１からのガスの流出を遮断する。逆止弁３１４，３１５は、それぞれ、タンク本体３１１の近傍と水素導入口８２の近傍に設けられ、タンク本体３１１側から車両Ｖの外側へ水素が逆流するのを防止する。
【００２７】
リッドボックス８１は、車両Ｖの側部後方に設けられており、その内部で水素導入口８２を保護する。このリッドボックス８１には、リッド８３が回動可能に設けられている。水素ステーション９において、利用者はリッド８３を開き、水素導入口８２を外部に露出させ、ディスペンサ９２の水素充填ノズル９３を水素導入口８２に差し込み、水素を充填する。
【００２８】
図２に戻って、水素供給管３２のうち、主止弁３１２より下流側には、水素タンク３１から供給された新たな水素ガスを、スタック２へ向けて噴射するインジェクタ３５が設けられている。なお以下では、水素供給管３２のうち、インジェクタ３５と主止弁３１２との間の区間を中圧部３２１という。発電中のスタック２のアノード流路２１内の圧力（以下、「アノード圧」という）は、中圧部３２１内の圧力が十分に高い状態でインジェクタ３５を開閉駆動することにより所定の目標圧に制御される。
【００２９】
水素還流管３４には、水素排出管３３側のガスを水素供給管３２へ圧送し、水素循環流路内で水素を含んだガスを循環させる水素ポンプ３６が設けられている。水素排出管３３のうち、上記水素還流管３４との接続部より下流側には、パージ弁３３ａが設けられている。水素循環流路内を循環するガスの水素濃度が低下すると、スタック２の発電効率が低下する。このため、パージ弁３３ａは、スタック２の発電中に適切なタイミングで開かれる。これにより、水素循環流路内のガスは、希釈器３７へ排出される。
【００３０】
カソード系４は、エアコンプレッサ４１と、エアコンプレッサ４１からカソード流路２２の導入部に至る空気供給管４２と、カソード流路２２の排出部から希釈器３７に至る空気排出管４３と、空気排出管４３から分岐し空気供給管４２に至る空気還流管４５と、空気排出管４３から分岐し水素供給管３２及び希釈器３７に至るスタックバイパス管４８と、を含んで構成される。酸素を含んだガスの酸素循環流路は、空気供給管４２、カソード流路２２、空気排出管４３及び空気還流管４５によって構成される。
【００３１】
エアコンプレッサ４１は、システム外の空気を、空気供給管４２を介してスタック２のカソード流路２２に空気を供給する。また、空気排出管４３には、カソード流路２２内の圧力を調整するための背圧弁４３ｂが設けられている。発電中のスタック２のカソード流路２２内の圧力（以下、「カソード圧」という）は、エアコンプレッサ４１で空気を供給しながら背圧弁４３ｂの開度を調整することにより、スタック２の発電状態に応じた適切な大きさに制御される。
【００３２】
空気還流管４５には、空気排出管４３側のガスを空気供給管４２に圧送し、酸素循環流路内で酸素を含んだガスを循環させるＥＧＲポンプ４６が設けられている。空気供給管４２のうち空気還流管４５との接続部よりもエアコンプレッサ４１側には、システム１の停止中にエアコンプレッサ４１側からカソード流路２２側へ外気が流入するのを防止する入口封止弁４２ａが設けられている。また、空気排出管４３のうち空気還流管４５との分岐部よりも希釈器３７側には、システム１の停止中に希釈器３７側からカソード流路２２側へ外気が流入するのを防止する出口封止弁４３ａが設けられている。これら封止弁４２ａ、４３ａは、後述のＥＧＲ停止処理（例えば、後述の図４参照）において、カソード流路２２に酸素濃度の低い不活性ガスを充填した状態で閉じられ、スタック２の劣化を抑制する。
【００３３】
スタックバイパス管４８には、エアコンプレッサ４１から希釈器３７へ流れる空気の流量を制御するバイパス弁４８ａと、エアコンプレッサ４１から水素供給管３２へ流れる空気の流量を制御する掃気弁４８ｂと、が設けられている。バイパス弁４８ａは、例えば背圧弁４３ｂを閉じており、空気排出管４３から希釈ガスを希釈器３７に供給できない場合に開かれ、エアコンプレッサ４１の直下の空気を希釈器３７に供給する。掃気弁４８ｂは、スタック２による発電を停止している間に、水素循環流路内に残留する不純物をエアコンプレッサ４１から供給した空気で排出する掃気処理を実行する際に開かれる。
【００３４】
希釈器３７は、上述の背圧弁４３ｂ、及びバイパス弁４８ａを介して導入されたガスを希釈ガスとして、パージ弁３３ａを介して排出された水素を含んだガスを希釈し、システム外に排出する。
【００３５】
冷却装置５は、スタック２を経路に含む冷媒循環流路５１と、冷媒循環流路５１内の冷媒を所定の方向に圧送するウォータポンプ５２と、冷媒循環流路５１の一部となるラジエタ５３と、ラジエタ５３を通流する冷媒を冷却するラジエタファン５４と、を備える。冷却装置５は、ウォータポンプ５２によって冷媒を循環しスタック２と冷媒との熱交換を促進するとともに、ラジエタファン５４によって冷媒を冷却することにより、スタック２を保護するために定められた上限温度を上回らないようにする。
【００３６】
アノード圧センサ２７は、水素供給管３２に設けられ、アノード圧を検出し、検出値に略比例した信号をＦＣＶ−ＥＣＵ１１に送信する。カソード圧センサ２８は、空気排出管４３に設けられ、カソード圧を検出し、検出値に略比例した信号をＦＣＶ−ＥＣＵ１１に送信する。
【００３７】
図示しない車両の運転席には、燃料電池システム１の状態を利用者に報知する表示装置としてのインフォメーションパネルＰと、運転者が操作可能なイグニッションスイッチＩＧと、が設けられている。
【００３８】
ＦＣＶ−ＥＣＵ１１は、燃料電池システム１を構成する各種装置を制御する電子制御ユニットであり、ＣＰＵ、ＲＯＭ、ＲＡＭ、及び各種インターフェースなどの電子回路を含んで構成される。
【００３９】
なお以下の説明では、ＦＣＶ−ＥＣＵ１１には図示しないＥＣＵ電源からの電力が供給されており、ＥＣＵ１１では要求に応じて各種処理を即時実行可能である場合、ＥＣＵ１１は稼動状態であると定義する。また、ＥＣＵ１１にはＥＣＵ電源からの電力が供給されていないか、又は当該ＥＣＵ１１が省電力スリープモード状態となっており、したがってＥＣＵ１１では要求に応じて各種処理を即時実行できない場合、ＥＣＵ１１は非稼動状態であると定義する。なお、これら稼動状態、非稼動状態の定義については、通信充填ＥＣＵ６１についても同様である。
【００４０】
イグニッションスイッチＩＧは、ＯＦＦの状態からＯＮにされると、燃料電池システム起動要求信号を発生する。図示しないＥＣＵ電源は、イグニッションスイッチＩＧから出力されたシステム起動要求信号を検出すると、ＦＣＶ−ＥＣＵ１１及び通信充填ＥＣＵ６１を稼動状態にし、後に図３を参照して説明する機能を実行可能にする。
【００４１】
イグニッションスイッチＩＧは、ＯＮの状態からＯＦＦにされると、燃料電池システム停止要求信号を発生する。ＦＣＶ−ＥＣＵ１１は、イグニッションスイッチＩＧから出力されたシステム停止要求信号を検出すると、後述のシステム停止処理を開始する。
【００４２】
＜通信充填システム６の構成＞
図１に戻って、燃料電池車両Ｖの通信充填システム６の構成について説明する。
通信充填システム６は、水素タンク３１の状態を検出する２つのタンク温度センサ６２，６３及びタンク圧力センサ６４と、リッド８３の状態を検出するリッドセンサ６５と、赤外線送信器６６と、通信充填ＥＣＵ６１と、を備える。
【００４３】
第１タンク温度センサ６２は、水素タンク３１のうちタンク本体３１１内の水素温度を検出し、検出値に略比例した信号を通信充填ＥＣＵ６１に送信する。第２タンク温度センサ６３は、水素タンク３１のうちタンク本体３１１内の水素温度を検出し、検出値に略比例した信号を通信充填ＥＣＵ６１に送信する。タンク圧力センサ６４は、水素導入管３１３のうち逆止弁３１４よりタンク本体３１１側の圧力を検出し、検出値に略比例した信号を通信充填ＥＣＵ６１に送信する。
【００４４】
リッドセンサ６５は、リッドボックス８１に設けられており、リッド８３の開閉状態を検出する。リッドセンサ６５は、リッド８３が閉じられリッドボックス８１内に水素導入口８２が保護された状態では、これを示す閉信号を通信充填ＥＣＵ６１に送信する。リッドセンサ６５は、リッド８３が開かれ水素導入口８２が外部に露出した状態では、これを示す開信号を通信充填ＥＣＵ６１及びＦＣＶ−ＥＣＵ１１に送信する。
【００４５】
以上のように、水素を充填するためには、リッド８３を開かなければならない。したがって、リッド８３の開閉は、利用者が水素の充填を開始又は終了するための予備的な行為となっている。したがって、以下では、リッドセンサ６５から出力される開信号は、通信充填システム６に対する起動要求信号ともいう。また、リッドセンサ６５から出力される閉信号は、通信充填システム６に対する停止要求信号ともいう。
【００４６】
赤外線送信器６６は、赤外線ＬＥＤ６７とそのドライバ６８で構成される。ドライバ６８は、通信充填ＥＣＵ６１から送信されたデータ信号に応じた態様で赤外線ＬＥＤ６７を点滅させる。以下では、この赤外線送信器６６を利用した通信充填システム６とステーション９との間の赤外線通信を、「ＩＲ通信」といい、ＦＣ−ＩＲ間通信と区別して扱う。
【００４７】
通信充填ＥＣＵ６１は、通信充填システム６を構成する各種装置を制御する電子制御ユニットであり、ＣＰＵ、ＲＯＭ、ＲＡＭ、及び各種インターフェースなどの電子回路を含んで構成される。図示しないＥＣＵ電源は、リッドが開かれ、リッドセンサ６５からの通信充填システム起動要求信号を検出すると、通信充填ＥＣＵ６１を稼動状態にし、後述の図３に示す機能を実行可能にする。
【００４８】
図３は、ＦＣＶ−ＥＣＵ１１及び通信充填ＥＣＵ６１の構成を示す図である。ＦＣＶ−ＥＣＵ１１には、スタックによる発電、燃料電池システムの起動及び停止に係る様々な処理（以下では、ＦＣＶ−ＥＣＵ１１が担う処理を総称して「燃料電池システム処理」という）を実行するため複数のモジュール１１１〜１１４が構成されている。また、通信充填ＥＣＵ６１には、通信充填システム６による水素ステーションとの通信、及び水素ステーションからの水素の充填に係る処理（以下では、通信充填ＥＣＵ６１が担う処理を総称して「通信充填システム処理」という）を実行するための複数のモジュール６１１〜６１５が構成されている。以下、これらＥＣＵ１１，６１に構成された各種モジュールとその機能について説明する。
【００４９】
＜ＦＣＶ−ＥＣＵ１１の構成＞
ＦＣＶ−ＥＣＵ１１のシステム起動部１１１は、燃料電池システム処理のうち、燃料電池システムの起動に係る処理、すなわちスタックを安定して発電可能な状態にする処理（以下、「システム起動処理」という）を担う。
【００５０】
システム起動処理では、始めに主止弁３１２を開くとともにエアコンプレッサを駆動し、スタックへの水素及び空気の供給を開始する。また、このシステム起動処理では、パージ弁を開きながら水素タンク内の水素を供給することにより、水素循環流路内に残留していた不純物をシステム外に排出し、替わりに水素タンクから供給された新規の水素で水素循環流路内を満たす。そして、水素循環流路内が新規の水素で置換されることにより、スタックの開放電圧が所定値まで上昇したことに応じて、燃料電池システムの起動が完了したと判断し、図示しないコンタクタを閉じスタックと負荷とを接続する。これにより、システム起動処理が完了する。なお、システム起動処理は、バッテリに蓄えられた電力が利用される。なお、低温環境下である場合、上記処理に加えてスタックを暖機する暖機処理が実行される。また、このシステム起動処理は、イグニッションスイッチからのシステム起動要求信号を検出したことに応じてＦＣＶ−ＥＣＵ１１が稼動状態となった後、システム起動部１１１によって実行される。
【００５１】
通常発電部１１２は、燃料電池システム処理のうち、運転者の要求に応じた発電を行う処理（以下、「通常発電」という）を担う。通常発電では、図示しないアクセルペダルからの入力に基づいてスタックの出力電流に対する要求を取得し、この要求が実現されるようにカソード圧及びアノード圧を制御する。この通常発電は、上記システム起動処理が完了した後、システム停止要求（ＩＧ−ＯＦＦ）が検出されるまで、通常発電部１１２によって実行される。
【００５２】
システム停止部１１３は、燃料電池システムの停止に係る処理（以下、「システム停止処理」という）を担う。システム停止処理は、停止時充電処理と、ＥＧＲ停止処理と、停止時希釈処理と、停止時冷却処理との４つの処理で構成される。図４は、システム停止処理における各装置の制御手順を示すタイムチャートである。
【００５３】
停止時充電部１１３ａは、４つのシステム停止処理のうち停止時充電処理を担う。停止時充電部１１３ａは、通常発電を行っていた状態からシステム停止要求（ＩＧ−ＯＦＦ）を検出したことを契機として、以下で説明する停止時充電処理を実行する。停止時充電処理では、次回の燃料電池システムの起動に備えて、システムの停止指令後も主閉弁を開いたままスタックによる発電を継続し、発電した電力をバッテリに充電する処理である。この停止時充電処理は、システムの停止指令時におけるバッテリの残容量が不十分であると判断された場合にのみ、システムの停止指令後、直ちに実行される。なお、図４のタイムチャートでは、システムの停止指令時にバッテリの残容量が十分であると判断され、停止時充電処理が行われなかった場合を示す。
【００５４】
ＥＧＲ停止部１１３ｂは、４つのシステム停止処理のうちＥＧＲ停止処理を担う。このＥＧＲ停止処理は、発電を停止している間におけるスタックの劣化を抑制するための処理であり、システムの停止指令後、システムが完全に停止するまでの間に行われる。このＥＧＲ停止処理は、図４に示すように、圧上げ処理（ｔ１〜ｔ２）と、ＥＧＲディスチャージ処理（ｔ２〜ｔ３）と、保圧処理（ｔ３〜ｔ４）と、の３つの処理で構成される。
【００５５】
圧上げ処理は、ＥＧＲディスチャージ処理の実行に先立ち、予めアノード圧を好ましい圧力まで昇圧する処理である。より具体的には、圧上げ処理では、主止弁を開き中圧部に十分な圧力を確保した状態で、アノード圧が後述の目標圧になるように、アノード圧センサの出力に基づいてインジェクタをフィードバック制御する。
【００５６】
ＥＧＲディスチャージ処理は、スタックの劣化を防止するため、システムを完全に停止させる前にスタックのカソード流路に残留する酸素を消費する処理である。ＥＧＲディスチャージ処理では、アノード系の装置については、主止弁を開いた状態でインジェクタによってアノード圧を予め定められた目標圧（以下、「ディスチャージ時目標圧」という）に制御しながら、水素ポンプによって水素循環流路内の水素ガスを循環させる。一方、カソード系の装置については、入口封止弁及び出口封止弁を閉じた状態でコンプレッサを駆動することにより、カソード圧を所定の目標圧に維持する。また、ＥＧＲポンプを駆動することにより、酸素循環流路内でガスを循環させることにより、酸素循環流路内の酸素濃度を徐々に低下させる。ＥＧＲディスチャージ処理では、水素循環流路及び酸素循環流路を上述のような状態に維持しながらスタックによる発電及びディスチャージを所定時間にわたって行い、酸素循環流路内の酸素濃度を低下させる。ＥＧＲディスチャージ処理は、酸素循環流路内の酸素濃度が所定濃度まで低下するまで、又は酸素濃度が所定濃度まで低下したと判断できる程度の時間が経過するまで実行される。なお、このＥＧＲディスチャージ処理を実行している間にスタックから取り出された発電電流は、例えばバッテリに供給される。
【００５７】
保圧処理は、ＥＧＲディスチャージ処理の終了後に、アノード圧をさらに昇圧する処理である。より具体的には、保圧処理では、主止弁を開いた状態でインジェクタによって上述のディスチャージ時目標圧よりも高い所定の保圧時目標圧までアノード圧を昇圧する。そして、この昇圧が完了した後、主止弁を閉じ、保圧処理を終了する。
【００５８】
以上のような手順でＥＧＲ停止処理を実行することにより、スタックのカソード流路には酸素濃度の低い不活性ガスが充填され、アノード流路は水素ガスによって高圧に維持される。これにより、カソード側からの残留酸素の透過が極力抑制され、スタックの劣化を抑制できる。
【００５９】
なお、以上のＥＧＲ停止処理は、上記停止時充電処理と同様にスタックによる発電及びディスチャージを伴う処理であるため、基本的には上記停止時充電処理と並行して行うことはできない。そこで本実施形態では、ＥＧＲ停止処理は、停止時充電処理が終了した後に行う（後述の図８、９参照）。
【００６０】
停止時希釈部１１３ｃは、４つのシステム停止処理のうち停止時希釈処理を担う。この停止時希釈処理は、システムの停止指令時に希釈器内に残留していた水素ガスを希釈し、希釈器内の水素濃度を規定の濃度まで所定時間かけて低下させる処理である。この停止時希釈処理は、スタックへ積極的に水素ガスを供給する必要が無く、かつコンプレッサを駆動しており希釈器内に希釈ガスを導入できる状態であれば実行できる処理であるため、上記停止時充電処理及びＥＧＲ停止処理と並行して実行できる。したがって本実施形態では、システム停止要求信号を検出した後、直ちに停止時希釈処理を開始する（後述の図８、９参照）。
【００６１】
より具体的には、停止時希釈処理では、図４に示すように、コンプレッサを駆動した状態で、背圧弁、及びスタックバイパス弁等を適宜開閉することにより、スタックから排出されたガスやコンプレッサの直下のガスを希釈器に導入し、これを希釈ガスとして希釈器内の水素を希釈する。なお、出口封止弁を閉じている間は、背圧弁を開いても希釈器に希釈ガスを導入できない。このため、ＥＧＲディスチャージ処理を行っている間は、スタックバイパス弁を適宜開閉することにより、希釈ガスを希釈器に導入する。
【００６２】
停止時冷却部１１３ｄは、４つのシステム停止処理のうち停止時冷却処理を担う。この停止時冷却処理は、ウォータポンプ及びラジエタファンを適宜駆動することにより（図４参照）、スタックの温度を例えば常温まで所定時間かけて低下させる処理である。この冷却処理は、スタックへ積極的に水素ガスを供給する必要が無く、かつウォータポンプやラジェタファンなどスタックによる発電や希釈器の状態とは無関係の装置を駆動することによって実行する処理であるため、上記停止時充電処理、ＥＧＲ停止処理、及び希釈処理と並行して実行できる。したがって本実施形態では、システム停止要求信号を検出した後、直ちに停止時冷却処理を開始する（後述の図８、９参照）。
【００６３】
なお、以上説明した４つのシステム停止処理のうち、停止時充填処理及びＥＧＲ停止処理は主止弁を開かなければ行うことができない処理であり、停止時希釈処理及び停止時冷却処理は主止弁を開かなくても行うことができる処理である。
【００６４】
また、以上説明した４つのシステム停止処理は、上述のようにシステム停止要求信号を検出したことを契機として実行される。そして、上記４つのシステム停止処理の全てが終了した後、ＦＣＶ−ＥＣＵは非稼動状態になる。
【００６５】
ＦＣ−ＩＲ間通信部１１４は、通信線Ｌを介したＦＣ−ＩＲ間通信のＦＣＶ−ＥＣＵ１１側の処理を担う。ＦＣＶ−ＥＣＵ１１側から通信充填ＥＣＵ６１側へは、通信充填ＥＣＵ６１側での処理に必要な情報が送信される。より具体的には、ＦＣ−ＩＲ間通信部１１４は、停止時充電処理又はＥＧＲ停止処理が実行されている間は、これら処理と並行して通信充填が実行されるのを防止するため、停止時充電処理又はＥＧＲ停止処理が実行されていることを示す信号を通信充填ＥＣＵ６１へ送信する。これにより、通信充填ＥＣＵ６１では、停止時充電処理又はＥＧＲ停止処理が実行されている状態であることを把握できる。
【００６６】
＜通信充填ＥＣＵ６１の構成＞
データ信号生成部６１１は、ＩＲ通信によって送信するデータ信号、より具体的には通信充填を行うために必要なデータ信号を生成する。データ信号生成部６１１は、後述のタンク状態監視部６１４によって算出された水素タンクの温度及び圧力に基づいてデータ信号を生成する。
【００６７】
ＩＲ通信部６１２は、通信充填を行うために必要なデータ信号、より具体的にはデータ信号生成部６１１によって生成した水素タンクの温度（Ｔ）及び圧力（Ｐ）に関するデータ信号を、赤外線送信器６６によって適切な赤外線信号に変換し、ステーション側へ送信する（ＩＲ通信）。先に説明したように、水素ステーションは、受信した温度及び圧力に関するデータ信号に基づいて、適切な態様で水素を車両に供給する。
【００６８】
充填遮断弁制御部６１３は、通信充填又は非通信充填を行うために充填遮断弁３１６を開き、水素タンクを水素充填可能な状態にする。これにより、ステーション側で定められた流量で水素が供給され、水素タンクに充填される。その後、充填遮断弁制御部６１３は、所定の通信充填終了条件又は非通信充填終了条件が満たされたことに応じて、充填遮断弁３１６を閉じる。これにより、ステーション側からの水素の供給が終了する。
【００６９】
タンク状態監視部６１４は、水素タンクの状態を検出するセンサ６２，６３，６４の出力に基づいて、水素タンク内の温度、圧力、及び水素ＳＯＣを算出する。より具体的には、タンク状態監視部６１４は、タンク圧力センサ６４の出力に基づいて、水素タンク内の圧力を算出する。また、タンク状態監視部６１４は、２つのタンク温度センサ６２，６３の出力に基づいて、水素タンク内の温度を算出する。図１を参照して説明したように、２つのタンク温度センサ６２，６３は、タンク本体３１１のうちほぼ同じ位置の温度を検出する。したがって、第２タンク温度センサ６３の出力は、第１タンク温度センサ６２が正常であることを裏付けるためのチェック信号として用いられる。また、タンク状態監視部６１４は、算出された温度及び圧力に基づいて水素ＳＯＣを算出する。
【００７０】
ＦＣ−ＩＲ間通信部６１５は、通信線Ｌを介したＦＣ−ＩＲ間通信の通信充填ＥＣＵ６１側の処理を担う。通信充填ＥＣＵ６１側からＦＣＶ−ＥＣＵ１１側へは、ＦＣＶ−ＥＣＵ１１側での処理に必要な情報が送信される。より具体的には、ＦＣ−ＩＲ間通信部６１５は、タンク状態監視部６１４によって算出された温度及び圧力に関するデータ信号や、通信充填の開始が要求された状態であることを示す後述の通信充填開始要求信号をＦＣＶ−ＥＣＵ１１へ送信する。これにより、ＦＣＶ−ＥＣＵ１１では、現在の水素タンクに貯蔵されている水素の量を算出したり、通信充填の開始が要求された状態であることを把握したりできる。
【００７１】
図５は、ＦＣＶ−ＥＣＵにおいて実行されるシステム停止処理のうち、停止時充電処理とＥＧＲ停止処理とを実行する手順を示すフローチャートである。図５に示す処理は、通常発電を行っている間にイグニッションスイッチがＯＮからＯＦＦに操作されたこと、すなわちＦＣＶ−ＥＣＵがシステムの停止指令を検出したことを契機として開始する。なお、図５において、Ｓ１〜Ｓ６に示す処理が停止時充電処理に相当し、Ｓ７〜Ｓ９に示す処理がＥＧＲ停止処理に相当する。なお、システム停止処理のうち停止時冷却処理と停止時希釈処理は、ＦＣＶ−ＥＣＵがシステムの停止指令を検出したことを契機として、図５に示す処理と並行して実行される。
【００７２】
始めにＳ１では、ＦＣＶ−ＥＣＵは、現在のバッテリのＳＯＣ［％］を算出し、Ｓ２２に移る。なお、バッテリのＳＯＣとは、バッテリの定格容量を１として現在の残容量［ｋＷ］を百分率で表したものであり、図示しないバッテリ電流センサ及びバッテリ電流センサの出力に基づいて既知の方法により算出される。
【００７３】
Ｓ２では、ＦＣＶ−ＥＣＵは、通信充填の開始が要求された状態であるか否かを判別する。後に図７を参照して説明するように、利用者によって通信充填の開始を要求する操作が行われた場合には、通信充填ＥＣＵはこれを検出し、ＦＣＶ−ＥＣＵにその旨を示す通信充填開始要求信号を送信する。Ｓ２２の判別がＮＯである場合には、引き続き通信充填を行う予定がないと判断し、所定の第１目標値を停止時目標ＳＯＣとして設定し（Ｓ３）、Ｓ５に移る。Ｓ２の判別がＹＥＳである場合には、引き続き通信充填を行う予定があると判断し、所定の第２目標値を停止時目標ＳＯＣとして設定し（Ｓ４）、Ｓ５に移る。
【００７４】
図６は、停止時目標ＳＯＣの大きさを模式的に示す図である。
この図に示すように、第２目標値は、短期間で再起動されることを想定して第１目標値より小さな値に設定される。上述のように、停止時充電処理は、次回の起動時に必要となる電力を、システムを停止する際にバッテリに蓄えておく処理である。このシステム起動処理に必要となるエネルギーは、システムを停止してから、次回の起動までの時間が長くなるほど増加する。これは、システムを停止している時間が長くなるほどスタックの温度が低下し、また通路内の不純物の量が増加するためである。すなわち、システムを停止してから次回の起動までの時間が短くなるほど、停止時充電処理によってバッテリに確保しておくべき残容量を少なくできる。また、通信充填が行われる予定があるということは、この通信充填が終了すると直ちにシステム起動処理が行われる可能性が高いことを意味する。したがって、通信充填を行う予定があり、通信充填の終了後直ちにシステムが起動されると予測される場合には、第１目標値よりも小さな第２目標値を停止時目標ＳＯＣとして設定しても差し支えない。また、停止時目標ＳＯＣを小さくした分だけ、停止時充電処理にかかる時間も短縮できるので、その分だけ早く通信充填を開始できる。
【００７５】
なお、上記第１、第２目標値は、停止時充電処理におけるバッテリＳＯＣの目標値となるものである。しかしながら、この停止時充電処理の後、引き続き行われるＥＧＲディスチャージ処理（後述のＳ８参照）でも、スタックの発電を伴うため、僅かながらバッテリの充電が可能である場合がある。したがって、上記第１、第２目標値は、ＥＧＲディスチャージ処理によって充電される分を見込み、真の目標値からその分だけ差し引いてもよい。
【００７６】
図５に戻って、Ｓ５では、ＦＣＶ−ＥＣＵは、Ｓ１で算出した現在のバッテリＳＯＣが、Ｓ３又はＳ４で設定した停止時目標ＳＯＣより小さいか否かを判断する。Ｓ５の判別がＹＥＳであり、現在のバッテリＳＯＣが停止時目標ＳＯＣより小さい場合には、Ｓ６へ移り、スタックによる発電及びバッテリへの充電を継続し、Ｓ１に戻る。Ｓ５の判別がＮＯであり、現在のバッテリＳＯＣが停止時目標ＳＯＣ以上である場合には、停止時充電処理を終了し、Ｓ７へ移る。
【００７７】
停止時充電処理が終了したたら、ＦＣＶ−ＥＣＵは、圧上げ処理（Ｓ７）、ＥＧＲディスチャージ処理（Ｓ８）、及び保圧処理（Ｓ９）からなるＥＧＲ停止処理を実行する。なお、主止弁は、保圧処理が終了したことにより閉じられる。
【００７８】
図７は、通信充填ＥＣＵにおいて実行される通信充填の具体的な手順を示すフローチャートである。図６に示す処理は、利用者によって通信充填の開始を要求する操作が行われたことを通信充填ＥＣＵが検出したことを契機として開始する。なお、この通信充填の開始を要求する操作とは、より具体的には、リッドが開かれかつ水素ステーションの水素充填ノズルが水素導入口に差し込まれることと定義するが、これに限るものではない。
【００７９】
始めにＳ１１では、通信充填ＥＣＵは、通信充填開始要求信号をＦＣＶ−ＥＣＵへ送信し、Ｓ１２へ移る。上述のように、この時点において、停止時充電処理が実行される前又は停止時充電処理の実行中である場合には、停止時目標ＳＯＣは通常時よりも小さな値に持ち替えられる（図５のＳ２〜Ｓ４参照）。Ｓ１２では、通信充填ＥＣＵは、停止時充電処理又はＥＧＲ停止処理の実行中であるか否かを判別する。
【００８０】
Ｓ１２の判別がＹＥＳである場合、すなわち停止時充電処理又はＥＧＲ停止処理の何れかが実行されている場合には、通信充填ＥＣＵは、Ｓ１３に移り、インフォメーションパネルに「通信充填はシステム停止まで待機して下さい」と表示し、Ｓ１２に戻る。これにより、利用者は、システム停止処理が行われているために通信充填を開始できないことを把握できる。
【００８１】
Ｓ１２の判別がＮＯである場合、すなわち停止時充電処理及びＥＧＲ停止処理が終了した場合には、通信充填ＥＣＵは、Ｓ１４に移り通信充填を実行する。すなわち、通信充填ＥＣＵは、停止時充電処理及びＥＧＲ停止処理の両方が終了するまで、通信充填の開始を待機する。Ｓ１４では、通信充填ＥＣＵは、充填遮断弁を開くとともに、ＩＲ通信による水素タンクの状態に関するデータ信号の送信を開始する。これにより、ステーション側から供給された水素が水素タンクに充填される。
【００８２】
図８は、システムの停止指令後に行われるシステム停止処理及び通信充填の第１の例を示すタイムチャートである。
図８では、時刻ｔ０においてシステムの停止指令があった後、時刻ｔ０から停止時充電処理と、停止時冷却処理と、停止時希釈処理とを並行して開始し、その後時刻ｔ１において停止時充電処理が終了したことに伴いＥＧＲ停止処理を開始した場合を示す。また図８には、停止時充電処理が終了した後に通信充填開始要求が生じた場合を示す。
【００８３】
時刻ｔ１〜ｔ２の間では圧上げ処理が実行され、これによりアノード圧は、ディスチャージ時目標圧まで昇圧される。圧上げ処理が完了した後、時刻ｔ２からはＥＧＲディスチャージ処理が開始する。これにより、アノード圧がディスチャージ時目標圧に維持されながら、カソード側に残留する酸素が消費される。
【００８４】
時刻ｔ２においてＥＧＲディスチャージ処理を開始してから、時刻ｔ３では、利用者により通信充填の開始を指令する操作が行われる。しかし、図Ｆ１を参照して説明したように、停止時充電処理及びＥＧＲ停止処理を行っている間、すなわち、図８中の時刻ｔ０〜ｔ５までの間、通信充填は禁止される。したがって、時刻ｔ３において通信充填開始要求が生じてから、ＥＧＲ停止処理が終了するまで、通信充填の開始は待機する。
【００８５】
一方、図５を参照して説明したように、ＥＧＲ停止処理は、通信充填開始要求の有無に関わらず実行される。したがって、通信充填開始要求が生じた後も、引き続きＥＧＲディスチャージ処理が実行される。時刻ｔ４には、ＥＧＲディスチャージ処理が終了し、時刻ｔ５には、主止弁が閉じられ、保圧処理が終了する。これにより、ＥＧＲ停止処理が終了する。また、時刻ｔ５では、ＥＧＲ停止処理が終了したことに伴い、通信充填が開始する。そして時刻ｔ６には、通信充填が終了する。
【００８６】
以上のように、本実施形態の燃料電池車両では、４つのシステム停止処理のうち主止弁を開いた状態で行う必要のある停止時充電処理及びＥＧＲ停止処理と、通信充填とが並行して行われることはない。したがって、通信充填では、水素タンク内の状態を正確に反映したデータ信号をステーション側へ送信できるので、上記システム停止処理と通信充填とを並行して行った場合と比較して、通信充填にかかる時間（図８中、時刻ｔ５〜ｔ６）を短くでき、かつより確実に満充填にすることができる。なお、４つのシステム停止処理のうち停止時冷却処理と停止時希釈処理は、主止弁を閉じた状態でも行うことができる点で、上記停止時充電処理及びＥＧＲ停止処理と異なる。したがって、図８に示すように、これら停止時冷却処理及び停止時希釈処理は、通信充填と並行して行ってもよい。
【００８７】
図９は、システムの停止指令後に行われるシステム停止処理及び通信充填の第２の例を示すタイムチャートである。
図９に示す第２の例は、停止時充電処理を実行している間に通信充填開始要求が生じた点で、図８の第１の例と異なる。
【００８８】
時刻ｔ１０では、システムの停止指令が生じたことに応じて、停止時充電処理と、停止時冷却処理と、停止時希釈処理とが並行して開始する。ここで、停止時充電処理を開始することにより、バッテリＳＯＣは所定の停止時目標ＳＯＣへ向けて徐々に上昇する。またこの停止時目標ＳＯＣは、この時点では、第１目標値に設定される（図５のＳ３参照）。
【００８９】
時刻ｔ１０において停止時充電処理を開始してから、時刻ｔ１１では、利用者により通信充填の開始を要求する操作が行われる。しかし、図７の第１の例と同様に、停止時充電処理及びＥＧＲ停止処理を行っている間（図８中の時刻ｔ１０〜ｔ１５までの間）、通信充填は禁止される。したがって、時刻ｔ１１において通信充填開始要求が生じてから、ＥＧＲ停止処理が終了するまで、通信充填の開始は待機する。
【００９０】
また、時刻ｔ１１では、停止時充電処理を行っている間に通信充填開始要求が生じることにより、停止時充電処理における停止時目標ＳＯＣは、より第１目標値より小さな第２目標値に持ち替えられる（図５のＳ４参照）。したがって、この停止時目標ＳＯＣが小さくなった分だけ、停止時充電処理にかかる時間（図９中、時刻ｔ１０〜ｔ１２までの間）は、第１の例と比較して短くなる。また、停止時充電処理にかかる時間が短くなった分だけ、システムの停止指令からＥＧＲ停止処理が完了するまでにかかる時間（図８中、時刻ｔ１０〜ｔ１５までの間）も短くなる。したがって、通信充填開始要求が生じてから、実際に通信充填が開始するまでの時間（図９中、時刻ｔ１１〜ｔ１５までの間）もその分だけ短くなるので、利便性を向上できる。
【００９１】
以上、本発明の一実施形態について説明したが、本発明はこれに限るものではない。
例えば、上記実施形態では、水素を貯蔵する貯蔵容器を高圧タンクとした例について説明したが、これに限らず、吸蔵合金を備えた水素タンクを貯蔵容器としてもよい。
【００９２】
上記実施形態では、図３に示すように、燃料電池システム処理（システム起動処理、通常発電等）の実行に係るモジュールと、通信充填システム処理（データ信号生成処理、ＩＲ通信処理等）の実行に係るモジュールとを、それぞれ別体のＥＣＵ１１，６１に構成した例について説明したが、本発明はこれに限らない。例えば、上記２つのモジュール間で通信可能であれば、これらを同一のＥＣＵに構成してもよい。
【符号の説明】
【００９３】
Ｖ…燃料電池車両
Ｂ…バッテリ（蓄電装置）
１…燃料電池システム
１１…ＦＣＶ−ＥＣＵ
２…スタック（燃料電池）
３１…水素タンク
３１１…タンク本体（貯蔵容器）
３１２…主止弁（開閉弁）
３２…水素供給管（燃料ガス供給路）
６…通信充填システム
６１…通信充填ＥＣＵ
６６…赤外線送信器（送信手段）
【図１】
2014192047.tif 000003
【図２】
2014192047.tif 000004
【図３】
2014192047.tif 000005
【図４】
2014192047.tif 000006
【図５】
2014192047.tif 000007
【図６】
2014192047.tif 000008
【図７】
2014192047.tif 000009
【図８】
2014192047.tif 000010
【図９】
2014192047.tif 000011